【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
ネットワークから受信した印刷データを画像形成装置が解釈可能なデータ形式に変換して前記画像形成装置に送信する印刷制御装置であって、
前記ネットワークからデータを受信する第1の受信手段と
前記画像形成装置からデータを受信する第２の受信手段と
前記画像形成装置にデータを送信する送信手段と、
前記印刷制御装置のシャットダウン処理を実行する実行手段と、を備え、
前記第１の受信手段が前記ネットワークから受信したシャットダウン指示に基づいて、前記送信手段は、シャットダウン処理を実行するように前記画像形成装置に指示し、
前記第２の受信手段は、前記シャットダウン処理に関する所定の通知を前記画像形成装置から受信し、
前記実行手段は、前記第２の受信手段が前記画像形成装置から受信した前記所定の通知に基づいて、前記印刷制御装置のシャットダウン処理を実行し、
前記画像形成装置と前記印刷制御装置は、ネットワークに接続可能であることを特徴とする印刷制御装置。
【請求項２】
前記第１の受信手段は、情報処理装置から第１ネットワークを介してデータを受信し、
前記第２の受信手段は、前記画像形成装置から第２のネットワークを介してデータを受信することを特徴とする請求項１に記載の印刷制御装置。
【請求項３】
ネットワークから受信した印刷データを画像形成装置が解釈可能なデータ形式に変換して前記画像形成装置に送信する印刷制御装置であって、
前記ネットワークからデータを受信する第１の受信手段と
前記画像形成装置からデータを受信する第２の受信手段と
前記画像形成装置にデータを送信する送信手段と、
前記印刷制御装置のシャットダウン処理を実行する実行手段と、を備え、
前記第１の受信手段が前記ネットワークから受信したシャットダウン指示に基づいて、前記送信手段は、シャットダウン処理を実行するように前記画像形成装置に指示し、
前記第２の受信手段は、前記シャットダウン処理に関する所定の通知を前記画像形成装置から受信し、
前記実行手段は、前記第２の受信手段が前記画像形成装置から受信した前記所定の通知に基づいて、前記印刷制御装置のシャットダウン処理を実行し、
前記画像形成装置と前記印刷制御装置は、ＬＡＮに接続可能であることを特徴とする印刷制御装置。
【請求項４】
ネットワークから受信した印刷データを画像形成装置が解釈可能なデータ形式に変換して前記画像形成装置に送信する印刷制御装置であって、
前記ネットワークからデータを受信する第１の受信手段と
前記画像形成装置からデータを受信する第２の受信手段と
前記画像形成装置にデータを送信する送信手段と、
前記印刷制御装置のシャットダウン処理を実行する実行手段と、を備え、
前記第１の受信手段が前記ネットワークから受信したシャットダウン指示に基づいて、前記送信手段は、シャットダウン処理を実行するように前記画像形成装置に指示し、
前記第２の受信手段は、前記シャットダウン処理に関する所定の通知を前記画像形成装置から受信し、
前記実行手段は、前記第２の受信手段が前記画像形成装置から受信した前記所定の通知に基づいて、前記印刷制御装置のシャットダウン処理を実行し、
前記画像形成装置と前記印刷制御装置は、イーサネット（登録商標）に接続可能であることを特徴とする印刷制御装置。
【請求項５】
前記画像形成装置と前記印刷制御装置は、ネットワークアドレスを有し、
前記ネットワークアドレスは、ＩＰアドレスであることを特徴とする請求項１乃至４のいずれか１項に記載の印刷制御装置。
【請求項６】
前記画像形成装置と前記印刷制御装置は、ネットワークアドレスを有し、
前記ネットワークアドレスは、ＭＡＣアドレスであることを特徴とする請求項１乃至４のいずれか１項に記載の印刷制御装置。
【請求項７】
前記画像形成装置から受け付けたデータのうち一部のデータのネットワークアドレスを変更する変更手段を有することを特徴とする請求項５または６に記載の印刷制御装置。
【請求項８】
前記一部のデータは、前記画像形成装置の電源状態が変化することを通知するための電源状態通知であることを特徴とする請求項７に記載の印刷制御装置。
【請求項９】
原稿の画像を読み取り前記原稿に応じた画像データを生成可能な画像形成装置と通信可能であって、ネットワークから受信した印刷データを前記画像形成装置が解釈可能なデータ形式に変換して前記画像形成装置に送信する印刷制御装置であって、
前記ネットワークからデータを受信する第１の受信手段と
前記画像形成装置からデータを受信する第２の受信手段と
前記画像形成装置にデータを送信する送信手段と、
前記印刷制御装置のシャットダウン処理を実行する実行手段と、を備え、
前記第１の受信手段が前記ネットワークから受信したシャットダウン指示に基づいて、前記送信手段は、シャットダウン処理を実行するように前記画像形成装置に指示し、
前記第２の受信手段は、前記シャットダウン処理に関する所定の通知を前記画像形成装置から受信し、
前記実行手段は、前記第２の受信手段が前記画像形成装置から受信した前記所定の通知に基づいて、前記印刷制御装置のシャットダウン処理を実行することを特徴とする印刷制御装置。
【請求項１０】
画像データを記憶可能な不揮発性の記憶装置を有する画像形成装置と通信可能であって、ネットワークから受信した印刷データを前記画像形成装置が解釈可能なデータ形式に変換して前記画像形成装置に送信する印刷制御装置であって、
前記ネットワークからデータを受信する第１の受信手段と
前記画像形成装置からデータを受信する第２の受信手段と
前記画像形成装置にデータを送信する送信手段と、
前記印刷制御装置のシャットダウン処理を実行する実行手段と、を備え、
前記第１の受信手段が前記ネットワークから受信したシャットダウン指示に基づいて、前記送信手段は、シャットダウン処理を実行するように前記画像形成装置に指示し、
前記第２の受信手段は、前記シャットダウン処理に関する所定の通知を前記画像形成装置から受信し、
前記実行手段は、前記第２の受信手段が前記画像形成装置から受信した前記所定の通知に基づいて、前記印刷制御装置のシャットダウン処理を実行することを特徴とする印刷制御装置。
【請求項１１】
前記所定の通知は、前記画像形成装置の終了通知であることを特徴とする請求項１乃至１０のいずれか１項に記載の印刷制御装置。
【請求項１２】
前記終了通知は、前記画像形成装置の電源状態をオフ状態にするためのシャットダウン処理の一部が完了したことをするための通知であることを特徴とする請求項１１に記載の印刷制御装置。
【請求項１３】
前記シャットダウン処理は、前記画像形成装置のアプリケーションのシャットダウン処理、前記画像形成装置のＯＳのシャットダウン処理、ソフトウェアのシャットダウン処理の少なくとも一つを含むことを特徴とする請求項１１または１２に記載の印刷制御装置。
【請求項１４】
前記印刷制御装置のシャットダウン処理は、前記印刷制御装置の一部又は全部への電力供給を遮断する処理を含むことを特徴とする請求項１乃至１３の何れか１項に記載の印刷制御装置。
【請求項１５】
前記シャットダウン指示は、ＳＮＭＰ（Ｓｉｍｐｌｅ Ｎｅｔｗｏｒｋ Ｍａｎａｇｅｍｅｎｔ Ｐｒｏｔｏｃｏｌ）を使用して送信されることを特徴とする請求項１乃至１４の何れか１項に記載の印刷制御装置。
【請求項１６】
前記シャットダウン指示は、前記印刷制御装置のシャットダウン処理を指示するＭＩＢオブジェクトをセットするリクエストであることを特徴とする請求項１乃至１５の何れか1項に記載の印刷制御装置。
【請求項１７】
前記送信手段は、前記印刷制御装置の終了処理を指示するＭＩＢオブジェクトがセットされたら、前記終了処理を実行するように前記画像形成装置に指示することを特徴とする請求項１６に記載の印刷制御装置。
【請求項１８】
前記送信手段による指示は、前記画像形成装置の終了処理を指示するＭＩＢオブジェクトをセットするリクエストであることを特徴とする請求項１７に記載の印刷制御装置。
【請求項１９】
スイッチをさらに備え、
前記印刷制御装置のシャットダウン処理は、前記スイッチをＯＦＦする処理を含むことを特徴とする請求項１乃至１８の何れか１項に記載の印刷制御装置。
【請求項２０】
前記送信手段は、ネットワークにデータを送信することが可能なネットワークインターフェースであることを特徴とする請求項１乃至１９の何れか１項に記載の印刷制御装置。
【請求項２１】
前記第１の受信手段は、ネットワークインターフェースカードであって、且つ、前記送信手段は、前記ネットワークインターフェースカードとは異なるネットワークインターフェースカードであることを特徴とする請求項１乃至２０の何れか１項に記載の印刷制御装置。
【請求項２２】
前記送信手段がシャットダウン処理を実行するように前記画像形成装置に指示をした後、前記第２の受信手段は、前記画像形成装置から前記画像形成装置の情報を受信し、
前記実行手段は、前記画像形成装置の情報を受信した後に受信した前記通知に基づいて、前記印刷制御装置のシャットダウン処理を実行する、ことを特徴とする請求項１乃至２１の何れか１項に記載の印刷制御装置。
【請求項２３】
前記送信手段は、パケット化されたデータを前記画像形成装置に送信することを特徴とする請求項１乃至２２の何れか１項に記載の印刷制御装置。
【請求項２４】
前記画像形成装置の電源終了及び電源起動のユーザ操作を受け付けるスイッチとは異なる、スイッチであって、前記印刷制御装置の電源終了及び電源起動のユーザ操作を受け付けるスイッチをさらに備えることを特徴とする請求項１乃至２３の何れか１項に記載の印刷制御装置。
【請求項２５】
前記画像形成装置からの通知は、前記シャットダウン処理の終了通知であることを特徴とする請求項１乃至２４の何れか１項に記載の印刷制御装置。
【請求項２６】
前記画像形成装置は、前記シャットダウン処理を開始した後に前記通知を前記印刷制御装置に送信することを特徴とする請求項１乃至２５の何れか１項に記載の印刷制御装置。
【請求項２７】
画像形成装置と印刷制御装置は、ネットワークに接続可能であり、ネットワークから受信した印刷データを前記画像形成装置が解釈可能なデータ形式に変換して前記画像形成装置に送信する前記印刷制御装置の制御方法であって、
前記ネットワークからデータを受信する第１の受信ステップと
前記画像形成装置からデータを受信する第２の受信ステップと
前記画像形成装置にデータを送信する送信ステップと、
前記印刷制御装置のシャットダウン処理を実行する実行ステップと、を備え、
前記第１の受信ステップにおいて前記ネットワークから受信したシャットダウン指示に基づいて、前記送信ステップで、シャットダウン処理を実行するように前記画像形成装置に指示し、
前記第２の受信ステップで、前記シャットダウン処理に関する所定の通知を前記画像形成装置から受信し、
前記実行ステップで、前記第２の受信ステップにおいて前記画像形成装置から受信した前記所定の通知に基づいて、前記印刷制御装置のシャットダウン処理を実行する、
ことを特徴とする印刷制御装置の制御方法。
【請求項２８】
画像データを記憶可能な不揮発性の記憶装置を有する画像形成装置と通信可能であって、ネットワークから受信した印刷データを前記画像形成装置が解釈可能なデータ形式に変換して前記画像形成装置に送信する印刷制御装置であって、
前記ネットワークからデータを受信する第１の受信ステップと
前記画像形成装置からデータを受信する第２の受信ステップと
前記画像形成装置にデータを送信する送信ステップと、
前記印刷制御装置のシャットダウン処理を実行する実行ステップと、を備え、
前記第１の受信ステップにおいて前記ネットワークから受信したシャットダウン指示に基づいて、前記送信ステップで、シャットダウン処理を実行するように前記画像形成装置に指示し、
前記第２の受信ステップで、前記シャットダウン処理に関する所定の通知を前記画像形成装置から受信し、
前記実行ステップで、前記第２の受信ステップにおいて前記画像形成装置から受信した前記所定の通知に基づいて、前記印刷制御装置のシャットダウン処理を実行することを特徴とする印刷制御装置の制御方法。
【請求項２９】
記録媒体に画像を印刷する画像形成装置と、ネットワークから受信した印刷データを画像形成装置が解釈可能なデータ形式に変換して前記画像形成装置に送信する印刷制御装置と、を備えるシステムであって、
前記印刷制御装置、
前記ネットワークからデータを受信する第１の受信手段と
前記画像形成装置からデータを受信する第２の受信手段と
前記画像形成装置にデータを送信する送信手段と、
前記印刷制御装置のシャットダウン処理を実行する実行手段と、を備え、
前記第１の受信手段が前記ネットワークから受信したシャットダウン指示に基づいて、前記送信手段は、シャットダウン処理を実行するように前記画像形成装置に指示し、
前記第２の受信手段は、前記シャットダウン処理に関する所定の通知を前記画像形成装置から受信し、
前記実行手段は、前記第２の受信手段が前記画像形成装置から受信した前記所定の通知に基づいて、前記印刷制御装置のシャットダウン処理を実行し、
前記画像形成装置と前記印刷制御装置は、ネットワークに接続可能であることを特徴とするシステム。
【請求項３０】
画像データを記憶可能な不揮発性の記憶装置を有する画像形成装置と、前記画像形成装置と通信可能であって、ネットワークから受信した印刷データを前記画像形成装置が解釈可能なデータ形式に変換して前記画像形成装置に送信する印刷制御装置と、を備えるシステムであって、
前記印刷制御装置は、
前記ネットワークからデータを受信する第１の受信手段と
前記画像形成装置からデータを受信する第２の受信手段と
前記画像形成装置にデータを送信する送信手段と、
前記印刷制御装置のシャットダウン処理を実行する実行手段と、を備え、
前記第１の受信手段が前記ネットワークから受信したシャットダウン指示に基づいて、前記送信手段は、シャットダウン処理を実行するように前記画像形成装置に指示し、
前記第２の受信手段は、前記シャットダウン処理に関する所定の通知を前記画像形成装置から受信し、
前記実行手段は、前記第２の受信手段が前記画像形成装置から受信した前記所定の通知に基づいて、前記印刷制御装置のシャットダウン処理を実行することを特徴とするシステム。
【請求項３１】
前記第１の受信手段は、情報処理装置から第１ネットワークを介してデータを受信し、
前記第２の受信手段は、前記画像形成装置から第２のネットワークを介してデータを受信することを特徴とする請求項２９又は３０に記載のシステム。
【請求項３２】
前記画像形成装置と前記印刷制御装置は、ネットワークアドレスを有し、
前記ネットワークアドレスは、ＩＰアドレスであることを特徴とする請求項２９乃至３１のいずれか１項に記載のシステム。
【請求項３３】
前記画像形成装置と前記印刷制御装置は、ネットワークアドレスを有し、
前記ネットワークアドレスは、ＭＡＣアドレスであることを特徴とする請求項２９乃至３１のいずれか１項に記載のシステム。
【請求項３４】
前記所定の通知は、前記画像形成装置の終了通知であることを特徴とする請求項２９乃至３３のいずれか１項に記載のシステム。
【請求項３５】
前記終了通知は、前記画像形成装置の電源状態をオフ状態にするためのシャットダウン処理の一部が完了したことをするための通知であることを特徴とする請求項３４に記載のシステム。
【請求項３６】
前記シャットダウン処理は、前記画像形成装置のアプリケーションのシャットダウン処理、前記画像形成装置のＯＳのシャットダウン処理、ソフトウェアのシャットダウン処理の少なくとも一つを含むことを特徴とする請求項３４または３５に記載のシステム。
【請求項３７】
前記印刷制御装置のシャットダウン処理は、前記印刷制御装置の一部又は全部への電力供給を遮断する処理を含むことを特徴とする請求項２９乃至３６の何れか１項に記載のシステム。
【手続補正２】
【補正対象書類名】明細書
【補正対象項目名】発明の名称
【補正方法】変更
【補正の内容】
【発明の名称】印刷制御装置、印刷制御装置の制御方法及びシステム
【手続補正３】
【補正対象書類名】明細書
【補正対象項目名】０００１
【補正方法】変更
【補正の内容】
【０００１】
本発明は、データ処理装置と画像形成装置と通信して印刷処理を制御する印刷制御装置、印刷制御装置の制御方法及びシステムに関するものである。
【手続補正４】
【補正対象書類名】明細書
【補正対象項目名】０００８
【補正方法】変更
【補正の内容】
【０００８】
上記目的を達成する本発明の印刷制御装置は以下に示す構成を備える。
ネットワークから受信した印刷データを画像形成装置が解釈可能なデータ形式に変換して前記画像形成装置に送信する印刷制御装置であって、前記ネットワークからデータを受信する第1の受信手段と前記画像形成装置からデータを受信する第２の受信手段と前記画像形成装置にデータを送信する送信手段と、前記印刷制御装置のシャットダウン処理を実行する実行手段と、を備え、前記第１の受信手段が前記ネットワークから受信したシャットダウン指示に基づいて、前記送信手段は、シャットダウン処理を実行するように前記画像形成装置に指示し、前記第２の受信手段は、前記シャットダウン処理に関する所定の通知を前記画像形成装置から受信し、前記実行手段は、前記第２の受信手段が前記画像形成装置から受信した前記所定の通知に基づいて、前記印刷制御装置のシャットダウン処理を実行し、前記画像形成装置と前記印刷制御装置は、ネットワークに接続可能であることを特徴とする。